(57)【要約】【課題】表示性能を劣化させることなく一方向の長さを大幅に拡大することができる表示パネルを提供する。【解決手段】本発明に係る表示パネル１００は、対向する２つの長辺１０４ａと対向する２つの短辺１０４ｂとからなる略四角形の基板１０４と、基板１０４の上に交差するように形成された複数の第１の電極１０１及び複数の第２の電極１０２と、第１の電極１０１と第２の電極１０２との交点に設けられ、第１の電極１０１と第２の電極１０２との間における電気的な変化により発光状態が変化する発光層１０３とを備え、複数の第１の電極１０１及び複数の第２の電極１０２の少なくとも一部は、基板１０４の長辺１０４ａ側に引き出され、長辺１０４ａ側に引き出された第１の電極１０１及び第２の電極１０２の少なくともいずれか一方は、長辺１０４ａに対して斜めに形成されている。【選択図】図１Ｂ
2013120286.tif 000002
【特許請求の範囲】
【請求項１】
対向する２つの長辺と対向する２つの短辺とからなる略四角形の基板と、
前記基板の上に交差するように形成された複数の第１の電極及び複数の第２の電極と、
前記第１の電極と前記第２の電極との交点に設けられ、前記第１の電極と前記第２の電極との間における電気的な変化により表示状態が変化する表示素子とを備え、
前記複数の第１の電極及び前記複数の第２の電極の少なくとも一部は、前記基板の長辺側に引き出され、
前記長辺側に引き出された前記第１の電極及び前記第２の電極の少なくともいずれか一方は、前記長辺に対して斜めに形成されている、
表示パネル。
【請求項２】
前記第１の電極及び前記第２の電極の両方が、前記長辺に対して斜めに形成されている、
請求項１に記載の表示パネル。
【請求項３】
前記第１の電極と前記第２の電極とは、同じ長辺側に引き出される、
請求項１又は２に記載の表示パネル。
【請求項４】
前記第１の電極と前記第２の電極とは、同じ長辺側に交互に引き出される、
請求項１又は２に記載の表示パネル。
【請求項５】
前記第１の電極は、一方の長辺側に引き出され、
前記第２の電極は、他方の長辺側に引き出される、
請求項１又は２に記載の表示パネル。
【請求項６】
前記基板は、透明である、
請求項１〜５のいずれか１項に記載の表示パネル。
【請求項７】
前記第１の電極及び前記第２の電極は、透明である、
請求項１〜６のいずれか１項に記載の表示パネル。
【請求項８】
前記表示素子は、ＥＬ発光素子であり、前記第１の電極と前記第２の電極との間における電気的な変化により発光状態が変化する、
請求項１〜７のいずれか１項に記載の表示パネル。
【請求項９】
前記第１の電極と前記第２の電極との交点全てに前記表示素子が存在する、
請求項１〜８のいずれか１項に記載の表示パネル。
【請求項１０】
前記第１の電極と前記第２の電極との交点のひとつおきに前記表示素子が存在する、
請求項１〜８のいずれか１項に記載の表示パネル。
【請求項１１】
前記表示素子が存在する前記交点の一つを一つのサブピクセルに対応させたときに、前記表示パネルは、縦方向に配列される複数のサブピクセルを一ラインとする複数のラインを有し、
前記複数のラインは、緑色のサブピクセル及び赤色のサブピクセルで構成されるラインと、青色のサブピクセルのみで構成されるラインとからなる、
請求項９に記載の表示パネル。
【請求項１２】
前記表示素子が存在する前記交点の一つを一つのサブピクセルに対応させたときに、前記表示パネルは、縦方向に配列される複数のサブピクセルを一ラインとする複数のラインを有し、
前記複数のラインは、青色のサブピクセル及び赤色のサブピクセルで構成されるラインと、緑色のサブピクセルのみで構成されるラインとからなる、
請求項９に記載の表示パネル。
【請求項１３】
前記複数の第１の電極及び前記複数の第２の電極の少なくともいずれか一方の少なくとも一部は、前記基板の短辺側に引き出される、
請求項１〜１２のいずれか１項に記載の表示パネル。
【請求項１４】
前記複数の第１の電極の少なくとも一部は、前記基板の一方の短辺側に引き出され、
前記複数の第２の電極の少なくとも一部は、前記基板の他方の短辺側に引き出される、
請求項１〜１２のいずれか１項に記載の表示パネル。
【請求項１５】
当該表示パネルは、パッシブマトリクス駆動型の表示パネルである、
請求項１〜１４のいずれか１項に記載の表示パネル。
【発明の詳細な説明】
【技術分野】
【０００１】
本発明は、表示パネルに係わり、特に、画像や文字情報を表示することが可能なパッシブマトリクス駆動型の表示パネルに関するものである。
【背景技術】
【０００２】
近年、表示パネルは、ＬＣＤやＰＤＰが市場の大半を占める中で、有機ＥＬや無機ＥＬのエレクトロルミネッセンス（ＥＬ）技術を用いたＥＬ表示パネル、または、電気泳動方式、エレクトロクロミック方式、サーマル方式あるいは２色粒子回転方式などの技術を用いた電子ペーパーが提案されている。
【０００３】
これらの表示パネルは、主に、アクティブマトリクス駆動方式、又は、パッシブマトリクス駆動方式で駆動される。
【０００４】
アクティブマトリクス駆動方式の表示パネルは、マトリクス状に配置された複数のサブピクセルの各サブピクセル毎に薄膜トランジスタ（ＴＦＴ）が使用されており、ＴＦＴによってサブピクセルの発光状態を詳細に制御できる。
【０００５】
一方、パッシブマトリクス駆動方式の表示パネルは、例えば、図１１に示すように、基板層１１０４と基板層１１０５との間に形成された横方向に走る第１の電極１１０１と縦方向に走る第２の電極１１０２とを備えており、第１の電極１１０１と第２の電極１１０２とが交差する位置の画素に対して電圧を印加することで、第１の電極１１０１と第２の電極１１０２との間に形成された発光層１１０３を発光させることができる。そして、光らせたいところの画素を順次点灯させることにより所望の映像を映し出すことができる。
【０００６】
このように、パッシブマトリクス駆動方式の表示パネルは、薄膜トランジスタを形成する必要がないため、製造が容易で安価であるといった利点がある。
【０００７】
現在、情報の多量化及び多様化によって、表示パネルの大型化（大画面化）が求められているが、パッシブマトリクス駆動方式の表示パネルを大型化させて画素を増加させると、直交する第１の電極及び第２の電極が長くなって配線抵抗が高くなる。これにより、発光駆動のＤｕｔｙ比、すなわち、１フレームを表示する間の画素に電圧を印加する時間の比率が増加して、１発光画素あたりの電圧印加時間が短くなる。また、これを補おうとすると、印加する電流・電圧が比例して増加してしまい大型化が制限される。
【０００８】
そのため、特許文献１に開示された従来技術では、電極配線全体の抵抗を低減するために、図１２に示すように、表示面側基板に設ける透明ライン電極２１０２を、透明導電性材料２１０２ａと低抵抗導電性材料２１０２ｂとが交互に配置された構成としている。
【０００９】
また、特許文献２に開示された従来技術では、走査線の配線抵抗によって生じる電圧降下を補正するために、図１３に示すように、走査線の電流を検出する電流検出部３００１と信号線の駆動電圧を補正する補正回路３００４とを設け、走査線及び信号線の交点と信号線制御回路３００２や走査線制御回路３００３との距離が大きくなるに従って前記駆動電圧の補正量を増加させるとともに、当該補正量を電流検出部３００１で検出された走査線の電流に基づいて変化させている。
【先行技術文献】
【特許文献】
【００１０】
【特許文献１】特開２００６−１５４６６４号公報
【特許文献２】特開２００８−３１８１号公報
【発明の概要】
【発明が解決しようとする課題】
【００１１】
しかしながら、特許文献１及び特許文献２に開示された従来技術は、従来のパッシブマトリクス駆動方式の電極構造を基本とした改善であり、多少の大型化は可能であっても大幅に大型化することができないという問題がある。
【００１２】
本発明は、このような問題を解決するためになされたものであり、表示性能を劣化させることなく表示パネルの一方向の長さを大幅に拡大することができる表示パネルを提供することを目的とする。
【課題を解決するための手段】
【００１３】
本発明の一態様に係る表示パネルは、対向する２つの長辺と対向する２つの短辺とからなる略四角形の基板と、前記基板の上に交差するように形成された複数の第１の電極及び複数の第２の電極と、前記第１の電極と前記第２の電極との交点に設けられ、前記第１の電極と前記第２の電極との間における電気的な変化により表示状態が変化する表示素子とを備え、前記複数の第１の電極及び前記複数の第２の電極の少なくとも一部は、前記基板の長辺側に引き出され、前記長辺側に引き出された前記第１の電極及び前記第２の電極の少なくともいずれか一方は、前記長辺に対して斜めに形成されていることを特徴とする。
【００１４】
本態様によれば、第１の電極及び第２の電極が基板の長辺に対して斜めに形成されており、また、第１の電極及び第２の電極のいずれもが長辺側に引き出されている。これにより、表示性能を劣化させることなく、表示パネルの一方向の長さを大幅に拡大することができる。
【００１５】
また、本発明の一態様に係る表示パネルにおいて、前記第１の電極及び前記第２の電極の両方が前記長辺に対して斜めに形成されていることが好ましい。
【００１６】
また、本発明の一態様に係る表示パネルにおいて、前記第１の電極と前記第２の電極とは、同じ長辺側に引き出されるように構成してもよい。
【００１７】
あるいは、本発明の一態様に係る表示パネルにおいて、前記第１の電極と前記第２の電極とは、同じ長辺側に交互に引き出されるように構成してもよい。
【００１８】
あるいは、本発明の一態様に係る表示パネルにおいて、前記第１の電極は、一方の長辺側に引き出され、前記第２の電極は、他方の長辺側に引き出されるように構成してもよい。
【００１９】
また、本発明の一態様に係る表示パネルにおいて、前記基板は透明であることが好ましい。
【００２０】
また、本発明の一態様に係る表示パネルにおいて、前記第１の電極及び前記第２の電極は透明であることが好ましい。
【００２１】
また、本発明の一態様に係る表示パネルにおいて、前記表示素子は、ＥＬ発光素子であり、前記第１の電極と前記第２の電極との間における電気的な変化により発光状態が変化するように構成してもよい。
【００２２】
また、本発明の一態様に係る表示パネルにおいて、前記第１の電極と前記第２の電極との交点全てに前記表示素子が存在するように構成してもよい。
【００２３】
あるいは、本発明の一態様に係る表示パネルにおいて、前記第１の電極と前記第２の電極との交点のひとつおきに前記表示素子が存在するように構成してもよい。
【００２４】
また、本発明の一態様に係る表示パネルにおいて、前記表示素子が存在する前記交点の一つを一つのサブピクセルに対応させたときに、前記表示パネルは、縦方向に配列される複数のサブピクセルを一ラインとする複数のラインを有し、前記複数のラインは、緑色のサブピクセル及び赤色のサブピクセルで構成されるラインと、青色のサブピクセルのみで構成されるラインとからなることが好ましい。
【００２５】
また、本発明の一態様に係る表示パネルにおいて、前記表示素子が存在する前記交点の一つを一つのサブピクセルに対応させたときに、前記表示パネルは、縦方向に配列される複数のサブピクセルを一ラインとする複数のラインを有し、前記複数のラインは、青色のサブピクセル及び赤色のサブピクセルで構成されるラインと、緑色のサブピクセルのみで構成されるラインとからなることが好ましい。
【００２６】
また、本発明の一態様に係る表示パネルにおいて、前記複数の第１の電極及び前記複数の第２の電極の少なくともいずれか一方の少なくとも一部は、前記基板の短辺側に引き出されることが好ましい。
【００２７】
あるいは、本発明の一態様に係る表示パネルにおいて、前記複数の第１の電極の少なくとも一部は、前記基板の一方の短辺側に引き出され、前記複数の第２の電極の少なくとも一部は、前記基板の他方の短辺側に引き出されるように構成してもよい。
【００２８】
また、本発明の一態様に係る表示パネルにおいて、当該表示パネルは、パッシブマトリクス駆動型の表示パネルであるとしてもよい。
【発明の効果】
【００２９】
本発明によれば、表示性能を劣化させることなく表示パネルの一方向の長さを大幅に拡大することができる。
【図面の簡単な説明】
【００３０】
【図１Ａ】本発明の実施の形態１に係る表示パネルの概略構成を示す斜視図である。
【図１Ｂ】本発明の実施の形態１に係る表示パネルの正面図である。
【図１Ｃ】本発明の実施の形態１に係る表示パネルの断面図（図１ＡにおけるＡ−Ａ線断面図）である。
【図２Ａ】本発明の実施の形態１の変形例２に係る表示パネルの断面図である。
【図２Ｂ】本発明の実施の形態１の変形例３に係る表示パネルの断面図である。
【図２Ｃ】本発明の実施の形態１の変形例４に係る表示パネルの断面図である。
【図２Ｄ】本発明の実施の形態１の変形例５に係る表示パネルの断面図である。
【図３Ａ】本発明の実施の形態１の変形例６に係る表示パネルの断面図である。
【図３Ｂ】本発明の実施の形態１の変形例７に係る表示パネルの断面図である。
【図３Ｃ】本発明の実施の形態１の変形例８に係る表示パネルの断面図である。
【図３Ｄ】本発明の実施の形態１の変形例９に係る表示パネルの断面図である。
【図４Ａ】本発明の実施の形態１の変形例１０に係る表示パネルの平面図である。
【図４Ｂ】本発明の実施の形態１の変形例１０に係る表示パネルにおける１画素のレイアウトを示す図である。
【図４Ｃ】本発明の実施の形態１の変形例１０に係る表示パネルにおけるＲＧＢの各サブピクセルのレイアウトを示す図である。
【図５Ａ】本発明の実施の形態１の変形例１１に係る表示パネルの平面図である。
【図５Ｂ】本発明の実施の形態１の変形例１１に係る表示パネルにおける１画素のレイアウトを示す図である。
【図６】本発明の実施の形態２に係る表示パネルの平面図である。
【図７】本発明の実施の形態３に係る表示パネルの平面図である。
【図８Ａ】本発明の実施の形態４に係る第１の表示パネルモジュールの平面図である。
【図８Ｂ】本発明の実施の形態４に係る第２の表示パネルモジュールの平面図である。
【図９Ａ】本発明の実施の形態４に係る表示パネルモジュールにおける表示パネルとプリント基板との接続部分の第１例を示す図であり、（ａ）は拡大平面図、（ｂ）は拡大断面図である。
【図９Ｂ】本発明の実施の形態４に係る表示パネルモジュールにおける表示パネルとプリント基板との接続部分の第２例を示す図であり、（ａ）は拡大平面図、（ｂ）は拡大断面図である。
【図９Ｃ】本発明の実施の形態４に係る表示パネルモジュールにおける表示パネルとプリント基板との接続部分の第３例を示す図であり、（ａ）は拡大平面図、（ｂ）は拡大断面図である。
【図９Ｄ】本発明の実施の形態４に係る表示パネルモジュールにおける表示パネルとプリント基板との接続部分の第４例を示す図であり、（ａ）は拡大平面図、（ｂ）は拡大断面図である。
【図９Ｅ】本発明の実施の形態４に係る表示パネルモジュールにおける表示パネルとプリント基板との接続部分の第５例を示す図であり、（ａ）は拡大平面図、（ｂ）は拡大断面図である。
【図１０】本発明の実施の形態５における表示パネルのアプリケーションとしての一実施例を示す図である。
【図１１】従来のパッシブマトリクス駆動方式の表示パネルの概略構成を示す図である。
【図１２】特許文献１に開示された従来の表示パネルにおける電極構成を説明するための図である。
【図１３】特許文献２に開示された従来の表示パネルの構成を示す図である。
【発明を実施するための形態】
【００３１】
（本発明に至った経緯）
まず、本発明の実施の形態の説明に先立って、本発明に至った経緯について説明する。
【００３２】
上述のように、従来のパッシブマトリクス駆動方式の電極構造を基本とした改善では、多少の大型化は可能であっても大幅に大型化することはできないという課題がある。つまり、単純に大型化して電極を長配線化すると、信号がばらついてＳＮ比が低下し、画質が劣化してしまう。そこで、本願発明者は、そもそも大型化できない根本的な要因についてもう一度熟考してみた。
【００３３】
基板上の電極に供給する電流や電圧の制限は、電極の配線抵抗、すなわち、電極配線における単位面積当たりの抵抗値と配線幅と長さとで決定される。つまり、大型化できない要因は、電極配線の長さが既定されてしまうために表示パネルの大きさが既定されてしまうことにあることに気づいた。さらに、熟考を重ねた結果、図１１に示すように、従来の表示パネルでは、２本の電極配線が縦方向と横方向とで直交するように配列されているので、大幅に大型化することができないということに気づいた。このことから、本願発明者は、電極配線の配列を変えることで、表示パネルの一方向の大きさは無限に拡大できる可能性があるという知見を得た。
【００３４】
本発明は、このような知見に基づいてなされたものであり、電極の配列に着目して着想された画期的なものである。以下、本発明に係る表示パネルについて、実施の形態に基づいて説明する。なお、本発明は、以下の実施の形態に限定されるものではない。また、各図において、基本的に同じ機能を有する構成要素については同じ符号を付している。
【００３５】
（実施の形態１）
まず、本発明の実施の形態１に係る表示パネル１００について、図１Ａ〜図１Ｂを用いて説明する。図１Ａ及び図１Ｂは、本発明の実施の形態１に係る表示パネルを表示面側から見た図であり、図１Ａは、当該表示パネルの概略構成を示す斜視図であり、図１Ｂは、表示面側の基板を透過して見たときにおける表示パネルの正面図である。なお、図１Ｃは、図１ＡのＡ−Ａ線における断面図である。
【００３６】
図１Ａ〜図１Ｃに示すように、本実施の形態に係る表示パネル１００は、パッシブマトリクス駆動型（単純マトリクス型）の表示パネルであり、少なくとも一方が透明な基板１０４と基板１０５との２枚が対向しており、基板１０４の上には複数の第１の電極１０１と複数の第２の電極１０２とからなる対向電極が形成され、第１の電極１０１と第２の電極１０２との間には発光層１０３が配置されている。なお、図１Ａ及び図１Ｂにおいて、第１の電極１０１及び第２の電極１０２は、細黒線で図示されているが、実際には、図１１の太白線で図示される第１の電極１１０１及び第２の電極１１０２と同じように、一定の幅を有するように形成されている。図１Ｃにおける第１の電極１０１及び第２の電極１０２は、一定の幅を有するように図示している。このことは、以降同様である。
【００３７】
基板１０４は、表示面とは反対側の下側に配置される第１の基板であって、図１Ｂに示すように、対向する２つの長辺１０４ａと対向する２つの短辺１０４ｂとからなる略四角形の基板である。一方、基板１０５は、基板１０４に対向して配置される第２の基板であって、表示面を構成する対向基板である。基板１０５も基板１０４と同様に、対向する２つの長辺と対向する２つの短辺とからなる略四角形の基板である。本実施の形態において、基板１０４及び基板１０５は、いずれも同じ大きさの矩形基板である。
【００３８】
複数の第１の電極１０１及び複数の第２の電極１０２は、画素領域１１０において立体交差するように配置されており、いずれも画素領域１１０から基板１０４（基板１０５）の長辺１０４ａ側に向かって引き出されるように配置されている。本実施の形態において、第１の電極１０１と第２の電極１０２とは、図１Ｂに示すように、基板１０４の同じ長辺１０４ａから交互に引き出されている。
【００３９】
さらに、複数の第１の電極１０１及び複数の第２の電極１０２のうち、基板１０４の長辺１０４ａ側に引き出された第１の電極１０１及び第２の電極１０２は、画素領域１１０では基板１０４（基板１０５）の長辺１０４ａに対して斜めに形成されている。例えば、各第１の電極１０１における長辺１０４ａとのなす角（傾斜角）を約４０度の一定の角度となるように、また、各第２の電極１０２における長辺１０４ａとのなす角（傾斜角）を約−４０度（１４０度）の一定の角度となるように形成することができる。なお、長辺１０４ａ側に引き出される第１の電極１０１及び第２の電極１０２は、画素領域１１０の外の周辺領域では、長辺１０４ａに対して垂直（短辺１０４ｂと平行）となるように形成されている。
【００４０】
このように、第１の電極１０１と第２の電極１０２とは画素領域１１０内においては交点を形成するように交互に斜めに配置されている。また、第１の電極１０１と第２の電極１０２との交点は表示パネル１００におけるサブピクセルとなる。図１Ｃは、２つの交点における断面図を示している。図１Ｃに示すように、基板１０４の上に、第１の電極１０１（下部電極）、発光層１０３及び第２の電極１０２（上部電極）が順次積層されており、第２の電極１０２の上に基板１０５が配置されている。なお、隣接する発光層１０３の間には、絶縁性を有する透明材料が充填されていても構わない。
【００４１】
なお、複数の第１の電極１０１は、Ｘ１、Ｘ２、Ｘ３・・・Ｘｍからなるｍ本の電極配線であり、画素領域１１０では、互いに平行となるように全て直線状に形成されている。また、複数の第２の電極１０２は、Ｙ１、Ｙ２、Ｙ３・・・Ｙｎからなるｎ本の電極配線であり、画素領域１１０では、互いに平行となるように全て直線状に形成されている。また、長辺側に引き出された第１の電極１０１及び第２の電極１０２は、画素領域１１０の外の周辺領域に設けられた端子電極（引き出し電極）と電気的に接続されていてもよい。この端子電極は、外部のドライバ等から第１の電極１０１及び第２の電極１０２に所定の電圧（信号）の供給を受けるための電極であり、表示パネル外部の例えばプリント基板の電極配線と電気的に接続される。
【００４２】
発光層１０３は、第１の電極１０１と第２の電極１０２との各交点に設けられており、第１の電極１０１と第２の電極１０２との間における電気的な変化により発光状態が変化する。例えば、第１の電極１０１を陽極、第２の電極１０２を陰極として、第１の電極１０１及び第２の電極１０２に所定の電圧（信号）を印加することによって各交点に配置される発光層１０３を発光させることができる。発光層１０３が有機ＥＬ層の場合、第１の電極１０１及び第２の電極１０２によって発光層１０３に電流が注入されて発光層１０３が発光する。これにより、サブピクセルの表示状態を変化させることができるので、表示パネルとして機能させることができる。
【００４３】
以上の表示パネル１００は、例えば次のような材料等を用いて構成することができる。基板１０５は、表示面側の基板なので、ガラス基板や透明プラスチック基板等の透明基板を用いる。基板１０４は、基板１０５と同様の透明基板を用いることもできるが、不透明なプラスチックや無機材料からなる不透明基板を用いてもよい。第１の電極１０１及び第２の電極１０２は、導電性材料であればどのようなものを用いても構わないが、一般には、アルミニウム、銅、銀などの金属又はこれらの合金からなる低抵抗導電性材料（低抵抗電極）、もしくは、ＩＴＯ（Ｉｎｄｉｕｍ  Ｔｉｎ  Ｏｘｉｄｅ）などの透明導電性材料（透明電極）が使用される。発光層１０３は、有機ＥＬや無機ＥＬ等の自発光型の表示素子、又は、液晶等の非時発光型の表示素子を用いることができる。
【００４４】
本実施の形態では、基板１０４及び基板１０５はガラス基板を使用し、発光層１０３は有機ＥＬを使用し、第１の電極１０１及び第２の電極１０２はともにアルミニウム合金を使用した。また、第１の電極１０１及び第２の電極１０２の配線幅はいずれも約１５μｍとし、第１の電極１０１と第２の電極１０２との各交点間距離は約１００μｍとした。また、第１の電極１０１及び第２の電極１０２の配線の長さはいずれも約１４０ｍｍとした。表示パネル１００（基板１０４、１０５）の大きさは、縦が１００ｍｍ、横が２００ｍｍとした。なお、表示パネル１００（基板１０４、１０５）の縦の長さは、上述のとおり、第１の電極１０１及び第２の電極１０２の電極材料及び配線幅で決定されるが、横の長さは、これらの電極材料及び配線幅によって既定されないので、２００ｍｍ以上と、どれだけでも長く設計することが可能である。
【００４５】
このような表示パネル１００は、次のような方法によって作製することができる。まず、ガラス基板からなる基板１０４の上にアルミニウム合金を蒸着してパターニングすることで複数の第１の電極１０１を形成し、その後、発光層１０３としてＥＬ層を蒸着形成する。その後、アルミニウム合金を蒸着してパターニングすることで第２の電極１０２を形成し、その後、ガラス基板からなる基板１０５によって封止した。
【００４６】
以上、本発明の実施の形態１に係る表示パネル１００によれば、交差する第１の電極１０１及び第２の電極１０２が、画素領域１１０において長辺１０４ａに対して斜めに形成されているとともに、いずれも画素領域１１０から長辺１０４ａ側に引き出されている。これにより、表示性能を劣化させることなく、表示パネル１００の一方向の大きさ、本実施の形態では横方向（基板１０４の長手方向）の長さを大幅に拡大することができる。これにより、例えば、アスペクト比が１６：９を大きく超えるような表示パネルを実現することができる。
【００４７】
また、本実施の形態において、第１の電極１０１の上記傾斜角をθ１とし、第２の電極１０２の上記傾斜角をθ２とすると、第１の電極１０１と第２の電極１０２とは、θ１＝−θ２（＝４０度）として電極交点において左右対称となるような傾斜角で形成することが好ましい。これにより、基板１０４の長辺１０４ａの長さをどれだけ大きくしたとしても、第１の電極１０１の配線長と第２の電極１０２の配線長とを同じすることができるので、配線抵抗のばらつきによる画質の劣化を防止することができる。
【００４８】
（実施の形態１の変形例１）
次に、本発明の実施の形態１の変形例１に係る表示パネルについて説明する。なお、本変形例における表示パネルの構成は、図１Ａ〜図１Ｃに示す実施の形態１における表示パネル１００と同様の構成であるので、図１Ａ〜図１Ｃを用いて説明する。
【００４９】
本変形例に係る表示パネルは透明ディスプレイであり、図１Ａ〜図１Ｃにおいて、基板１０４及び基板１０５をガラス基板とし、発光層１０３を有機ＥＬとし、第１の電極１０１（陽極）をＩＴＯからなる高仕事関数の透明電極とし、第２の電極１０２（陰極）をＭｇＡｇからなる低仕事関数の電極とした。また、第１の電極１０１及び第２の電極１０２の配線幅は、いずれも約１５０μｍとし、第１の電極１０１と第２の電極１０２との各交点間距離は約２００μｍとした。また、第１の電極１０１及び第２の電極１０２の配線の長さはいずれも約５０ｍｍとした。表示パネル１００（基板１０４、１０５）の大きさは、縦が３５ｍｍ、横が７０ｍｍとした。なお、表示パネル１００（基板１０４、１０５）の縦の長さは、第１の電極１０１及び第２の電極１０２の電極材料及び配線幅で決定されるが、横の長さは、これらの電極材料及び配線幅によって既定されないので、７０ｍｍ以上と、どれだけでも長く設計することが可能である。
【００５０】
このような表示パネル１００は、次のような方法によって作製することができる。まず、ガラス基板からなる透明な基板１０４の上にＩＴＯをスパッタ成膜し、フォトリソグラフィ及びエッチングによってＩＴＯをパターン形成することで複数の第１の電極１０１を形成する。その後、発光層１０３としてＥＬ層を蒸着形成する。その後、ＭｇＡｇを蒸着してパターニングすることで第２の電極１０２を形成し、その後、ガラス基板からなる基板１０５によって封止する。各層は数十ｎｍオーダの厚みのため透けて透明に見える。なお、第２の電極１０２としては、ＭｇＡｇに代えて、ＩＺＯからなる透明電極を用いることもできる。これにより、第１の電極１０１及び第２の電極１０２を両方とも透明にすることができる。
【００５１】
以上、本発明の実施の形態１の変形例１に係る透明な表示パネル１００によれば、実施の形態１と同様の作用効果を奏することができ、表示性能を劣化させることなく、表示パネル１００の一方向の大きさ大幅に拡大することができる。
【００５２】
さらに、本変形例の構成によれば、発光層１０３の上層及び下層には、光を邪魔する物体が極めて少ないことから、発光層１０３の上下の両方向に向かって光を発光させることができる。
【００５３】
なお、基板１０４及び１０５をガラス基板とし、発光層１０３を有機ＥＬとし、第１の電極１０１を線幅約１５０μｍのＩＴＯとし、第２の電極１０２を線幅約５０μｍのアルミニウム合金とし、各交点間距離を約２５０μｍとする構成の場合、アルミニウム合金が存在するところだけが光を通さずに発光層１０３の光を反射するため、発光層１０３の光を基板１０４側にだけ放出させることができる。なお、アルミニウム合金が存在しないところは透明になる。
【００５４】
（実施の形態１の変形例２）
次に、本発明の実施の形態１の変形例２に係る表示パネルについて、図２Ａを用いて説明する。図２Ａは、本発明の実施の形態１の変形例２に係る表示パネルの断面図であって、図１ＡのＡ−Ａ断面に対応する。
【００５５】
本変形例における表示パネルの基本的な構成は、図１Ａ及び図１Ｂに示す実施の形態１における表示パネル１００と同様の構成である。本変形例における表示パネルが実施の形態１における表示パネル１００と異なる点は、第１の電極１０１の線幅である。
【００５６】
図２Ａに示すように、本変形例に係る表示パネルは、実施の形態１と同様に、基板１０４と、基板１０４の上に順次形成された、第１の電極１０１、発光層１０３及び第２の電極１０２と、第２の電極１０２の上に設けられた基板１０５とを備える。
【００５７】
図２Ａに示す本変形例に係る表示パネルは、図１Ｃに示す表示パネル１００と比べて、第１の電極１０１の幅が狭くなっており、発光層１０３が狭くなった部分の隙間を埋めるように形成されている。
【００５８】
以上、本発明の実施の形態１の変形例２に係る表示パネルによれば、実施の形態１と同様の作用効果を奏することができ、表示性能を劣化させることなく、表示パネルの一方向の大きさ大幅に拡大することができる。
【００５９】
さらに、本変形例のような構成にすることによって、構成上できた隙間を利用して形成された発光層１０３によって第１の電極１０１を覆うことができる。すなわち、発光層１０３を封止材としても利用することができる。これにより、封止材として別の材料を使う必要がなくなるので、封止材をなくすこともできる。従って、封止性を有する表示パネルを簡単な構成により安価に作製することができる。なお、隣接する発光層１０３の間にさらに絶縁性を有する透明材料を充填させてもよく、この場合、実施の形態１と比べて封止性が向上した表示パネルを実現することができる。
【００６０】
（実施の形態１の変形例３）
次に、本発明の実施の形態１の変形例３に係る表示パネルについて、図２Ｂを用いて説明する。図２Ｂは、本発明の実施の形態１の変形例３に係る表示パネルの断面図であって、図１ＡのＡ−Ａ断面に対応する。
【００６１】
本変形例における表示パネルの基本的な構成は、図１Ａ及び図１Ｂに示す実施の形態１における表示パネル１００と同様の構成である。本変形例における表示パネルが実施の形態１における表示パネル１００と異なる点は、第１の電極１０１及び第２の電極１０２の線幅である。
【００６２】
図２Ｂに示す本変形例に係る表示パネルは、図１Ｃに示す表示パネル１００と比べて、第１の電極１０１及び第２の電極１０２の幅が狭くなっており、発光層１０３が狭くなった部分の隙間を埋めるように形成されている。すなわち、図２Ａの変形例２と比べて、第１の電極１０１に加えて、さらに第２の電極１０２の幅も狭くなっている。
【００６３】
以上、本発明の実施の形態１の変形例３に係る表示パネルによれば、実施の形態１と同様の作用効果を奏することができ、表示性能を劣化させることなく、表示パネルの一方向の大きさ大幅に拡大することができる。
【００６４】
さらに、本変形例によれば、構成上できた隙間を利用して形成された発光層１０３によって第１の電極１０１及び第２の電極１０２を覆うことができ、発光層１０３を封止材としても利用することができる。これにより、封止材として別の材料を使う必要がなくなるので、封止材をなくすこともできる。従って、封止性を有する表示パネルを簡単な構成により安価に作製することができる。なお、隣接する発光層１０３の間にさらに絶縁性を有する透明材料を充填させてもよく、この場合、実施の形態１と比べて封止性が向上した表示パネルを実現することができる。
【００６５】
（実施の形態１の変形例４）
次に、本発明の実施の形態１の変形例４に係る表示パネルについて、図２Ｃを用いて説明する。図２Ｃは、本発明の実施の形態１の変形例４に係る表示パネルの断面図であって、図１ＡのＡ−Ａ断面に対応する。
【００６６】
本変形例における表示パネルの基本的な構成は、図１Ａ及び図１Ｂに示す実施の形態１における表示パネル１００と同様の構成である。本変形例における表示パネルが実施の形態１における表示パネル１００と異なる点は、発光層１０３の構成である。
【００６７】
図２Ｃに示す本変形例に係る表示パネルは、図１Ｃに示す表示パネル１００と比べて、発光層１０３が基板１０４と基板１０５との間に分離形成されることなく画素領域１１０において全面に形成されている点である。また、変形例３と同様に、実施の形態１と比べて、第１の電極１０１及び第２の電極１０２の幅も狭くなっている。
【００６８】
以上、本発明の実施の形態１の変形例４に係る表示パネルによれば、実施の形態１と同様の作用効果を奏することができ、表示性能を劣化させることなく、表示パネルの一方向の大きさ大幅に拡大することができる。
【００６９】
さらに、本変形例によれば、発光層１０３が分離されることなく画素領域１１０の全面に形成されているので、容易に表示パネルを作製することができる。なお、発光層１０３が分離形成されていないので、本変形例における表示パネルは、基本的には単色表示となる。
【００７０】
（実施の形態１の変形例５）
次に、本発明の実施の形態１の変形例５に係る表示パネルについて、図２Ｄを用いて説明する。図２Ｄは、本発明の実施の形態１の変形例５に係る表示パネルの断面図であって、図１ＡのＡ−Ａ断面に対応する。
【００７１】
本変形例における表示パネルの基本的な構成は、図１Ａ及び図１Ｂに示す実施の形態１における表示パネル１００と同様の構成である。本変形例における表示パネルが実施の形態１における表示パネル１００と異なる点は、封止部材の構成である。
【００７２】
すなわち、実施の形態１では、基板１０５を設けることによって、第１の電極１０１、第２の電極１０２及び発光層１０３を封止していたが、本変形例では、図２Ｄに示すように、基板１０５に代えて封止層１０６によって、第１の電極１０１、第２の電極１０２及び発光層１０３を封止している。封止層１０６としては、透明樹脂等を用いることができる。
【００７３】
このように、封止部材は、平面部材である必要はなく、発光層１０３を空気や水などの接触から防ぐものであれば、どのような形であっても構わない。なお、本変形例でも、実施の形態１と同様の作用効果を奏することができる。
【００７４】
（実施の形態１の変形例６）
次に、本発明の実施の形態１の変形例６に係る表示パネルについて、図３Ａを用いて説明する。図３Ａは、本発明の実施の形態１の変形例６おける表示パネルの断面図である。なお、本変形例における表示パネルの基本的な構成は、図１Ａ及び図１Ｂに示す実施の形態１における表示パネル１００と同様の構成であり、図３Ａは、図１ＡのＡ−Ａ断面に対応する。
【００７５】
本変形例に係る表示パネルは有機ＥＬ表示パネルであり、第１の電極１０１と第２の電極１０２との交点に設けられた表示素子（表示媒体）は、有機ＥＬ素子（有機ＥＬ発光素子）で構成され、第１の電極１０１と第２の電極１０２との間における電気的な変化により発光状態が変化する。すなわち、本変形例では、発光層に有機ＥＬ発光層を使用した場合であり、発光層の構造が実施の形態１よりも詳細になっている。
【００７６】
図３Ａに示すように、本変形例に係る表示パネルは、基板１０４と、基板１０４の上に順次積層して形成された、第１の電極１０１、第１の注入・輸送層１１１、発光層１１３、第２の注入・輸送層１１２、及び第２の電極１０２と、第２の電極１０２の上に設けられた基板１０５とを備える。
【００７７】
第１の電極１０１及び第２の電極１０２は、発光層１１３に電流を注入するための電極として機能し、実施の形態１と同様の材料を用いることができる。
【００７８】
第１の注入・輸送層１１１及び第２の注入・輸送層１１２は、電子や正孔を効率よく注入させたり輸送させたりするための層である。例えば、下側の第１の電極１０１が陽極で、上側の第２の電極１０２が陰極の場合、第１の注入・輸送層１１１は、電子を注入・輸送する層であり、第２の注入・輸送層１１２は、正孔を注入・輸送する層である。また、これら第１の注入・輸送層１１１及び第２の注入・輸送層１１２は、材料の違いや効率、コストなどの重視する目的によって、注入層のみであったり、輸送層のみであったり、または、全く無い場合もある。したがって、第１の注入・輸送層１１１及び第２の注入・輸送層１１２は、目的や性能によって層数は変化する。
【００７９】
発光層１１３は、電界発光機能を有する有機材料によって構成された有機発光層であり、例えば、Ａｌｑ３を用いることができる。
【００８０】
このように構成された表示パネルでは、第１の電極１０１と第２の電極１０２とに所定の電圧を印加することによって各サブピクセルの発光層１１３の表示状態を発光状態と非発光状態とに制御することができ、これにより、所望の画像を表示することができる。
【００８１】
以上、本変形例に係る表示パネルによれば、実施の形態１と同様の作用効果を奏することができ、表示性能を劣化させることなく、表示パネルの一方向の大きさ大幅に拡大することができる。
【００８２】
（実施の形態１の変形例７）
次に、本発明の実施の形態１の変形例７に係る表示パネルについて、図３Ｂを用いて説明する。図３Ｂは、本発明の実施の形態１の変形例７における表示パネルの断面図である。なお、本変形例における表示パネルの基本的な構成も、図１Ａ及び図１Ｂに示す実施の形態１における表示パネル１００と同様の構成であり、図３Ｂは、図１ＡのＡ−Ａ断面に対応する。
【００８３】
本変形例に係る表示パネルは無機ＥＬ表示パネルであり、第１の電極１０１と第２の電極１０２との交点に設けられた表示素子は、無機ＥＬ素子（無機ＥＬ発光素子）で構成され、第１の電極１０１と第２の電極１０２との間における電気的な変化により発光状態が変化する。
【００８４】
図３Ｂに示すように、本変形例に係る表示パネルは、基板１０４と、基板１０４上に順次積層して形成された、第１の電極１０１、第１の絶縁層１２１、発光層１２３、第２の絶縁層１２２、及び第２の電極１０２と、第２の電極１０２の上に設けられた基板１０５とを備える。発光層１２３には、硫化亜鉛（ＺｎＳ）、硫化カドミウム（ＣｄＳ）又はセレン化亜鉛（ＺｎＳｅ）などの無機材料からなる蛍光体が用いられる。
【００８５】
本変形例における表示パネルでは、例えば、第１の電極１０１と第２の電極１０２との間に１，０００，０００Ｖ／ｃｍ程度の交流電圧を印加すると、高電界で加速された電子が発光層１２３内の蛍光体の発光中心を衝突励起し、それが緩和する際に発光が生じる。第１の絶縁層１２１及び第２の絶縁層１２２は、発光層１２３内に流れる電流を制限する機能を有し、無機ＥＬの絶縁破壊を抑えることが可能であり、かつ、安定な発光特性を得られるように作用する。
【００８６】
このように構成された表示パネルでは、第１の電極１０１と第２の電極１０２とに所定の電圧を印加することによって各サブピクセルの発光層１２３の表示状態を発光状態と非発光状態とに制御することができ、これにより、所望の画像を表示することができる。
【００８７】
以上、本変形例に係る表示パネルによれば、実施の形態１と同様の作用効果を奏することができ、表示性能を劣化させることなく、表示パネルの一方向の大きさ大幅に拡大することができる。
【００８８】
なお、前記構成は一例であって、これらに限定されるものでなく、従来から無機ＥＬとして公知の層構成を適宜用いることができる。
【００８９】
（実施の形態１の変形例８）
次に、本発明の実施の形態１の変形例８に係る表示パネルについて、図３Ｃを用いて説明する。図３Ｃは、本発明の実施の形態１の変形例８における表示パネルの断面図である。なお、本変形例における表示パネルの基本的な構成も、図１Ａ及び図１Ｂに示す実施の形態１における表示パネル１００と同様の構成であり、図３Ｃは、図１ＡのＡ−Ａ断面に対応する。
【００９０】
本変形例に係る表示パネルは液晶表示パネルであり、第１の電極１０１と第２の電極１０２との交点に設けられた表示素子は、液晶表示素子であって、第１の電極１０１と第２の電極１０２との間における電気的な変化により表示状態が変化する。
【００９１】
図３Ｃに示すように、本変形例に係る表示パネルは、２枚の薄いガラス基板からなる基板１０４と基板１０５とで液晶層１３３をはさんだ構造をしている。基板１０４には第１の電極１０１を覆うように第１の配向膜１３１が形成されており、基板１０５には第２の電極１０２を覆うように第２の配向膜１３２が形成されている。第１の配向膜１３１及び第２の配向膜１３２は、液晶層１３３の液晶分子を一定方向に配列させるための膜であり、その表面にはラビング等の配向処理が施されている。例えば、液晶層１３３はＴＮ液晶である場合、第１の配向膜１３１及び第２の配向膜１３２によって、液晶分子は電圧無印加の状態で９０度にねじれている。各基板１０４及び１０５に形成された第１の電極１０１及び第２の電極１０２は、液晶層１３３に電圧をかけて液晶分子の向きを制御するための電極として機能し、いずれも透明電極とすることができる。また、カラー表示を可能とするために、第２の電極１０２と基板１０５との間にカラーフィルタ１３４が設けられている。さらに、基板１０４及び１０５の外側面（表示パネルの裏と表）には、偏光方向が９０度異なる向きで配置された第１の偏光板１３５及び第２の偏光板１３６が貼り付けられている。
【００９２】
このように構成された表示パネルでは、第１の電極１０１と第２の電極１０２とに電圧を印加することによって各サブピクセルの液晶層１３３における液晶分子の配向状態を制御することができる。これにより、各サブピクセルの表示状態を透過状態と非透過状態とに制御することができ、これにより、所望の画像を表示することができる。
【００９３】
以上、本変形例に係る表示パネルによれば、実施の形態１と同様の作用効果を奏することができ、表示性能を劣化させることなく、表示パネルの一方向の大きさ大幅に拡大することができる。
【００９４】
なお、前記構成は一例であって、これらに限定されるものでなく、従来から液晶表示パネルとして公知の層構成を適宜用いることができる。
【００９５】
（実施の形態１の変形例９）
次に、本発明の実施の形態１の変形例９に係る表示パネルについて、図３Ｄを用いて説明する。図３Ｄは、本発明の実施の形態１の変形例９における表示パネルの断面図である。なお、本変形例における表示パネルの基本的な構成も、図１Ａ及び図１Ｂに示す実施の形態１における表示パネル１００と同様の構成であり、図３Ｄは、図１ＡのＡ−Ａ断面に対応する。
【００９６】
本変形例に係る表示パネルは電子ペーパーであり、第１の電極１０１と第２の電極１０２との交点に設けられた表示素子は、インク層で構成され、第１の電極１０１と第２の電極１０２との間における電気的な変化により表示状態が変化する。
【００９７】
図３Ｃに示すように、本変形例に係る表示パネルは、電子ペーパーのうち、黒色と白色の粒子を内部に持つマイクロカプセル１４３をもつ電気泳動方式としている。例えば、プラスチック基板からなる基板１０５に、黒色と白色の粒子を内部に持つマイクロカプセル１４３をコーティングすることで前面基板を作製し、この前面基板をガラス基板からなる基板１０４と貼り合わせる。また、基板１０４側の第１の電極１０１と基板１０５側の第２の電極１０２とは、例えば透明電極とすることができる。
【００９８】
このように構成された表示パネルでは、第１の電極１０１と第２の電極１０２とに印加された電圧によってマイクロカプセル１４３内に封入された粒子の位置を制御することができる。これにより、各サブピクセルの表示状態を白表示状態と黒表示状態とに制御することでことができ、これにより、所望の画像を表示することができる。
【００９９】
以上、本変形例に係る表示パネルによれば、実施の形態１と同様の作用効果を奏することができ、表示性能を劣化させることなく、表示パネルの一方向の大きさ大幅に拡大することができる。
【０１００】
なお、前記構成は一例であって、これらに限定されるものでなく、従来から液晶パネルとして公知の層構成を適宜用いることができる。
【０１０１】
（実施の形態１の変形例１０）
次に、本発明の実施の形態１の変形例１０に係る表示パネルについて、図４Ａを用いて説明する。図４Ａは、本発明の実施の形態１の変形例１０に係る表示パネルの平面図であって、表示面側から見たサブピクセルの一部を示す図である。なお、本変形例における表示パネルの基本的な構成も、図１Ａ〜図１Ｃに示す実施の形態１における表示パネル１００と同様の構成である。
【０１０２】
すなわち、発光層１０３は、図４Ａには図示されていないが、上述の通り、第１の電極１０１と第２の電極１０２との間に配置されている。また、複数の第１の電極１０１と複数の第２の電極１０２とは基板１０４の長辺から交互に引き出されている。さらに、複数の第１の電極１０１と複数の第２の電極１０２とは、画素領域１１０内においては交差するように交互に斜めに配置されている。
【０１０３】
そして、本変形例では、複数の第１の電極１０１と複数の第２の電極１０２との各交点が、表示パネルの各サブピクセル（単位画素）１１０Ｓとなっている。すなわち、発光層１０３が存在する交点の一つを、一つのサブピクセル１１０Ｓに対応させている。さらに、本変形例では、第１の電極１０１と第２の電極１０２との交点全てに発光層１０３が存在するように構成されている。このため、本変形例における表示パネルでは、縦方向に配列される複数のサブピクセルを一つのライン（縦ライン）としたときに、画素領域１１０は複数の縦ラインで構成されており、かつ、左右に隣接する縦ラインにおけるサブピクセル１１０Ｓ同士が互い違いとなるように構成されている。すなわち、本変形例におけるサブピクセル１１０Ｓは、階段状配列となっている。
【０１０４】
このような構成において、例えば、第１の電極１０１を陽極とし、第２の電極１０２を陰極として、発光層１０３に電流を供給することにより発光層１０３が発光し、これにより、各サブピクセル１１０Ｓの表示状態を変化させることができる。
【０１０５】
図４Ｂは、本変形例に係る表示パネルにおける１画素のレイアウトを示す図であり、複数のサブピクセル１１０Ｓで１つの画素（１ピクセル）ＰＸを構成する３つの例を示している。
【０１０６】
図４Ｂの（ａ）は、階段状（千鳥状）に配列された複数のサブピクセル１１０Ｓのうち上下左右に隣接する４つのサブピクセル１１０Ｓ１〜１１０Ｓ４によって１画素ＰＸを構成するレイアウトを示している。
【０１０７】
また、図４Ｂの（ｂ）は、階段状に配列された複数のサブピクセル１１０Ｓのうち上下と左右のいずれか一方とに隣接する３つのサブピクセル１１０Ｓ１〜１１０Ｓ３によって１画素ＰＸを構成するレイアウトを示している。
【０１０８】
また、図４Ｂの（ｃ）は、階段状に配列された複数のサブピクセル１１０Ｓのうち縦方向に連続する３つのサブピクセル１１０Ｓ１〜１１０Ｓ３によって１画素ＰＸを構成するレイアウトを示している。
【０１０９】
各サブピクセルは、例えば、赤色（Ｒ）の光を発する発光層に対応する赤色サブピクセル、緑色（Ｇ）の光を発する発光層に対応する緑色サブピクセル、及び、青色（Ｂ）の光を発する発光層に対応する青色サブピクセルとすることができる。これにより、カラー表示を可能とすることができる。さらに、白色の光を発する発光層に発光層に対応する白色サブピクセルを加えてもよい。
【０１１０】
この場合、図４Ｂの（ａ）及び（ｂ）のようなレイアウトでは、輝度の感度が高い緑色サブピクセルと逆に輝度の感度が低い青色サブピクセルとの配置を工夫することで横線の見え方がよくなる。この点について、図４Ｃを用いて説明する。図４Ｃは、本変形例に係る表示パネルにおけるＲＧＢの各サブピクセルのレイアウトを示す図である。
【０１１１】
図４Ｃの（ａ）は、画素領域１１０における複数の縦ラインが、緑色のサブピクセル１１０Ｓと赤色のサブピクセル１１０Ｓとが交互に配列されて構成されるＧＲ縦ラインと、青色のサブピクセル１１０Ｓのみで構成されるＢ縦ラインとからなるレイアウトを示している。すなわち、１画素は、緑色及び赤色に対応するＧＲ縦ラインと青色のみに対応するＢ縦ラインとで構成される。なお、ＧＲ縦ラインとＢ縦ラインとは、基板１０４の長手方向（左右方向）に沿って交互に配列されている。これにより、サブピクセルが階段状に配列されているような場合であっても、緑色サブピクセルと赤色サブピクセルとの横ラインを直線に近づけることができるので、横線をスムースに知覚することができる。
【０１１２】
また、図４Ｃの（ｂ）は、画素領域１１０における複数の縦ラインが、青色のサブピクセル１１０Ｓと赤色のサブピクセル１１０Ｓとが交互に配列されて構成されるＢＲ縦ラインと、緑色のサブピクセル１１０Ｓのみで構成されるＧ縦ラインとからなるレイアウトを示している。すなわち、１画素は、青色及び赤色に対応するＢＲ縦ラインと緑色のみに対応するＧ縦ラインとで構成される。なお、ＢＲ縦ラインとＧ縦ラインとは、基板１０４の長手方向（左右方向）に沿って交互に配列されている。これにより、サブピクセルが階段状に配列されているような場合であっても、緑色サブピクセルと赤色サブピクセルとの横ラインを直線に近づけることができるので、横線をスムースに知覚することができる。
【０１１３】
より具体的には、図４Ｂの（ａ）の画素レイアウトにおいて、サブピクセル１１０Ｓ２を青色サブピクセル、サブピクセル１１０Ｓ３を赤色サブピクセル、サブピクセル１１０Ｓ１及び１１０Ｓ４を緑色サブピクセルに対応させる。また、同図の画素レイアウトにおいて、サブピクセル１１０Ｓ２を緑色画素レイアウト、サブピクセル１１０Ｓ３を赤色サブピクセル、サブピクセル１１０Ｓ１及び１１０Ｓ２を青色サブピクセルに対応させる。
【０１１４】
なお、本変形例では、複数のサブピクセルで１ピクセルとしたが、１つのサブピクセルで１ピクセル（１画素）として単色表示できることは言うまでもない。
【０１１５】
（実施の形態１の変形例１１）
次に、本発明の実施の形態１の変形例１１に係る表示パネルについて、図５Ａを用いて説明する。図５Ａは、本発明の実施の形態１の変形例１１における表示パネルの平面図であって、表示面側から見たサブピクセルの一部を示す図である。なお、本変形例における表示パネルの基本的な構成も、変形例１０と同様に、図１Ａ〜図１Ｃに示す実施の形態１における表示パネル１００と同様の構成である。
【０１１６】
本変形例でも、変形例１０と同様に、複数の第１の電極１０１と複数の第２の電極１０２との各交点が、表示パネルの各サブピクセル１１０Ｓとなっている。すなわち、発光層１０３が存在する交点の一つを、一つのサブピクセル１１０Ｓに対応させている。但し、本変形例では、変形例１０と異なり、第１の電極１０１と第２の電極１０２との交点のひとつ置きに発光層１０３が存在するように構成され、画素領域１１０内の複数のサブピクセル１１０Ｓがマトリクス状の格子配列となっている。これにより、本変形例における表示パネルでは、縦方向に配列される複数のサブピクセルを一つのライン（縦ライン）としたときに、画素領域１１０は複数の縦ラインで構成されており、かつ、左右に隣接する縦ラインにおけるサブピクセル１１０Ｓ同士がずれずに一致するように構成されている。
【０１１７】
図５Ｂは、本変形例に係る表示パネルにおける１画素のレイアウトを示す図であり、複数のサブピクセル１１０Ｓで１つの画素（１ピクセル）ＰＸを構成する３つの例を示している。
【０１１８】
図５Ｂの（ａ）は、第１のレイアウト例を示しており、複数のサブピクセル１１０Ｓのうち縦横に隣接する４つのサブピクセル１１０Ｓ１〜１１０Ｓ４によって１画素ＰＸが構成されている。
【０１１９】
また、図５Ｂの（ｂ）は、第２のレイアウト例を示しており、複数のサブピクセル１１０Ｓのうち横方向に連続する３つのサブピクセル１１０Ｓ１〜１１０Ｓ３によって１画素ＰＸが構成されている。
【０１２０】
また、図５Ｂの（ｃ）は、第３のレイアウト例を示しており、複数のサブピクセル１１０Ｓのうち縦方向に連続する３つのサブピクセル１１０Ｓ１〜１１０Ｓ３によって１画素ＰＸが構成されている。
【０１２１】
図５Ｂの（ａ）〜（ｂ）において、各サブピクセルは、例えば、赤色（Ｒ）の光を発する発光層に対応する赤色サブピクセル、緑色（Ｇ）の光を発する発光層に対応する緑色サブピクセル、及び、青色（Ｂ）の光を発する発光層に対応する青色サブピクセルとすることができる。これにより、カラー表示を可能とすることができる。さらに、白色の光を発する発光層に発光層に対応する白色サブピクセルを加えてもよい。
【０１２２】
（実施の形態２）
次に、本発明の実施の形態２に係る表示パネル２００について、図６を用いて説明する。図６は、本発明の実施の形態２における表示パネルの平面図であって、表示面側から見た図である。
【０１２３】
本実施の形態に係る表示パネル２００は、実施の形態１に係る表示パネル１００と基本的な構成は同じであり、基板１０４と、基板１０４の上に順次形成された、第１の電極１０１、発光層１０３（不図示）、及び第２の電極１０２と、基板１０５（不図示）とを備える。
【０１２４】
そして、本実施の形態に係る表示パネル２００は、複数の第１の電極のうちの一部が基板１０４の短辺１０４ｂ側に引き出されるように構成されている。具体的には、図６に示すように、表示パネル２００は、実施の形態１の表示パネル１００に対して、基板１０４の短辺１０４ｂ側に引き出された第１の電極２０１を備える。
【０１２５】
本実施の形態では、第１の電極と第２の電極との交点が画素領域１１０内において均一に配置されるように、複数の第１の電極２０１が、基板１０４の２つの短辺１０４ｂのうちの１辺から引き出されるように配置されている。
【０１２６】
複数の第１の電極２０１は、Ｘ’１、Ｘ’２、Ｘ’３・・・Ｘ’ｐからなるｐ本の電極配線であり、画素領域１１０では、互いに平行となるように全て直線状に形成されている。また、複数の第１の電極２０１は、第２の電極１０２とも平行となるように形成されている。なお、各第１の電極２０１の材料等は、上述の第１の電極１０１の材料等とすることができる。
【０１２７】
以上、本実施の形態に係る表示パネル２００によれば、実施の形態１と同様に、第１の電極１０１及び第２の電極１０２が、基板１０４の長辺１０４ａに対して斜めに形成されているとともに、いずれも長辺１０４ａ側に引き出されている。これにより、表示性能を劣化させることなく、表示パネル２００の一方向の大きさ、本実施の形態でも横方向（基板１０４の長手方向）の長さを大幅に拡大することができる。
【０１２８】
さらに、本実施の形態では、第１の電極１０１の補助電極として、さらに第１の電極２０１が基板１０４上に形成されている。従って、実施の形態１では、画素領域１１０における左下の三角領域には第１の電極１０１と第２の電極１０２との交点が存在せずに、矩形状の基板１０４に無効領域が生じていたが、本実施の形態では、第１の電極２０１によって上記三角領域にも第２の電極１０２との交点を構成することができる。これにより、実施の形態１に対して、基板１０４における有効領域を増加させることができる。
【０１２９】
なお、本実施の形態において、第１の電極２０１は、基板１０４の２つの短辺１０４ｂのうちの左側の短辺１０４ｂから引き出したが、右側の短辺１０４ｂから引き出しても構わない。
【０１３０】
（実施の形態３）
次に、本発明の実施の形態３に係る表示パネル３００について、図７を用いて説明する。図７は、本発明の実施の形態３における表示パネルの平面図であって、表示面側から見た図である。
【０１３１】
本実施の形態に係る表示パネル３００は、実施の形態１に係る表示パネル１００と基本的な構成は同じであり、基板１０４と、基板１０４の上に順次形成された、第１の電極１０１、発光層１０３（不図示）、及び第２の電極１０２と、基板１０５（不図示）とを備える。
【０１３２】
そして、本実施の形態に係る表示パネル３００は、複数の第１の電極及び複数の第２の電極のうちのそれぞれ一部が基板１０４の短辺１０４ｂ側に引き出されるように構成されている。具体的には、図７に示すように、表示パネル３００は、実施の形態１の表示パネル１００に対して、基板１０４の２つの短辺１０４ｂ側に引き出された第１の電極２０１及び第２の電極２０２を備える。
【０１３３】
本実施の形態では、第１の電極と第２の電極との交点が画素領域１１０内において均一に配置されるように、複数の第１の電極２０１が、基板１０４の２つの短辺１０４ｂのうちの一方から引き出されるように配置されているとともに、複数の第２の電極２０２が、基板１０４の２つの短辺１０４ｂのうちの他方から引き出されるように配置されている。
【０１３４】
複数の第１の電極２０１の構成は、実施の形態２と同様である。一方、複数の第２の電極２０２は、Ｙ’１、Ｙ’２、Ｙ’３・・・Ｙ’ｑからなるｑ本の電極配線であり、画素領域１１０では、互いに平行となるように全て直線状に形成されている。また、複数の第２の電極２０２は、第１の電極１０１とも平行となるように形成されている。なお、各第２の電極２０２の材料等は、上述の第２の電極１０２の材料とすることができる。
【０１３５】
以上、本実施の形態に係る表示パネル３００によれば、実施の形態１と同様に、第１の電極１０１及び第２の電極１０２が、基板１０４の長辺１０４ａに対して斜めに形成されているとともに、いずれも長辺１０４ａ側に引き出されている。これにより、表示性能を劣化させることなく、表示パネル３００の一方向の大きさ、本実施の形態でも横方向（基板１０４の長手方向）の長さを大幅に拡大することができる。
【０１３６】
さらに、本実施の形態では、第１の電極１０１の補助電極としてさらに第１の電極２０１が基板１０４上に形成されているとともに、第２の電極１０２の補助電極としてさらに第２の電極２０２が基板１０４上に形成されている。従って、実施の形態１では、画素領域１１０における左下及び右下の三角領域には第１の電極１０１と第２の電極１０２との交点が存在せずに、矩形状の基板１０４に無効領域が生じていたが、本実施の形態では、第１の電極２０１及び第２の電極２０２によって上記２つの三角領域にも第２の電極１０２及び第１の電極１０１との交点を構成することができる。これにより、実施の形態１に対して、基板１０４における有効領域を増加させることができる。さらに、本実施の形態では、有効領域を基板１０４と同じ形状の矩形状とすることができるので、表示パネルの全面を利用して画像を表示することができる。
【０１３７】
（実施の形態４）
次に、本発明の実施の形態４に係る表示パネルモジュールについて、図８Ａ及び図８Ｂを用いて説明する。図８Ａは、本発明の実施の形態４に係る第１の表示パネルモジュールの平面図であり、図８Ｂは、本発明の実施の形態４に係る第２の表示パネルモジュールの平面図である。
【０１３８】
図８Ａに示すように、第１の表示パネルモジュール４０１は、実施の形態１の表示パネル１００と、プリント基板４１０とを備える。プリント基板４１０には、表示パネル１００を駆動するための電圧（信号）を供給するための配線が形成されており、例えば、第１の電極１０１に所定の電圧を供給するドライバと、第２の電極１０２に所定の電圧を供給するドライバとが実装されている。また、第１の電極１０１及び第２の電極１０２は、プリント基板４１０にまで引き伸ばされている。なお、第１の電極１０１（第２の電極１０２）とプリント基板４１０の配線との電気的接続は、表示パネル１００とプリント基板４１０との電極接続領域（引き出し領域）４１１に、ＡＣＦ（異方性導電性フィルム）を熱圧着させることによっても行うことができる。このように、短辺側（左右側）への電極の引き出しを行わずに、一端（長辺）からの引き出しのみで構成される電極の交点のみを画素領域として使用することも可能である。
【０１３９】
また、図８Ｂに示すように、第２の表示パネルモジュール４０２は、実施の形態３の表示パネル３００と、３つのプリント基板４１０、４２０、４３０とを備える。プリント基板４１０は、図８Ａと同様である。例えば、プリント基板４２０には、左側の短辺に引き出される第１の電極２０１に所定の電圧を供給するドライバが実装され、プリント基板４３０には、右側の短辺に引き出される第２の電極２０２に所定の電圧を供給するドライバが実装されている。また、短辺に引き出される第１の電極２０１及び第２の電極２０２は、プリント基板４２０、４３０にまで引き伸ばされている。なお、短辺に引き出される第１の電極２０１（第２の電極２０２）とプリント基板４２０（プリント基板４３０）の配線との電気的接続は、表示パネル３００とプリント基板４２０との電極接続領域（引き出し領域）４２１及び表示パネル３００とプリント基板４３０との電極接続領域（引き出し領域）４３１に、ＡＣＦを熱圧着させることによっても行うことができる。このように、図８Ｂでは、表示パネル３００の左側にも右側にも電極交点が均一に画素領域内に配置されるように構成された表示パネル３００に対して、左側の１辺から引き出された第１の電極２０１がプリント基板４２０の電極接続領域４２１においてまとめられ、右側の１辺から引き出された第２の電極２０２がプリント基板４３０の電極接続領域４３１においてまとめられている。これにより、表示パネルの全面を利用して画像を表示することができる。
【０１４０】
次に、本実施の形態における第１及び第２の表示パネルモジュール４０１、４０２における、表示パネルとプリント基板との具体的な接続方法について、図９Ａ〜図９Ｅを用いて説明する。図９Ａ〜図９Ｅは、それぞれ、本実施の形態の表示パネルモジュールにおける表示パネルとプリント基板との接続部分の第１例〜第５例を示す図であり、（ａ）は拡大平面図、（ｂ）は拡大断面図である。
【０１４１】
図９Ａの（ａ）及び（ｂ）に示すように、第１の電極１０１は、基板１０４から引き出されてプリント基板４４０にまとめられ、第２の電極１０２は、基板１０５から引き出されてプリント基板４５０にまとめられている。このように、２つのプリント基板を用いて第１の電極１０１及び第２の電極１０２をまとめてもよい。
【０１４２】
また、図９Ｂの（ａ）及び（ｂ）に示すように、１つのプリント基板４６０によって第１の電極１０１及び第２の電極１０２をまとめることもできる。すなわち、第１の電極１０１をプリント基板４６０の一方の面に引き出すとともに、第２の電極１０２をプリント基板４６０の他方の面に引き出すことで、第１の電極１０１及び第２の電極１０２を１枚のプリント基板４６０にまとめることができる。
【０１４３】
また、図９Ａ及び図９Ｂでは、第１の電極１０１と第２の電極１０２とが基板１０４の長手方向に沿って交互に引き出される場合の接続方法を示したが、図９Ｃの（ａ）に示すように、平面視において第１の電極１０１と第２の電極１０２とが重畳して引き出される場合であっても、図９Ｃの（ｂ）に示すように、第１の電極１０１をプリント基板４４０にまとめて、第２の電極１０２をプリント基板４５０にまとめることで、第１の電極１０１（第２の電極１０２）とプリント基板４４０（プリント基板４５０）との接続を行うことができる。
【０１４４】
同様に、図９Ｄの（ｂ）に示すように、第１の電極１０１をプリント基板４６０の一方の面に引き出すとともに第２の電極１０２をプリント基板４６０の他方の面に引き出すことで、図９Ｄの（ａ）に示すように、第１の電極１０１と第２の電極１０２とが平面視で重畳して引き出される場合であっても、第１の電極１０１（第２の電極１０２）とプリント基板４４０（プリント基板４５０）との接続を行うことができる。
【０１４５】
また、図９Ｅの（ａ）に示すように、第１の電極１０１と第２の電極１０２とが基板１０４の長手方向に沿って交互に引き出される場合であっても、図９Ｅの（ｂ）に示すように、画素領域の周辺において第２の電極１０２を第１の電極１０１が形成される基板１０４上に配線することによって（すなわち、第１の電極１０１も第２の電極１０２も同じ基板１０４から引き出すことによって）、１つのプリント基板４７０で接続を行うことができる。
【０１４６】
なお、図９Ａ〜図９Ｅの接続方法は、表示パネル３００における第１の電極２０１（第２の電極２０２）とプリント基板４２０（プリント基板４３０）との接続についても適用することができる。
【０１４７】
（実施の形態５）
次に、本発明の実施の形態５に係る表示パネルのアプリケーションについて、図１０を用いて説明する。図１０は、本発明の実施の形態５における表示パネルのアプリケーションとしての一実施例を示す図である。なお、図１０では、実施の形態４における第２の表示パネルモジュール４０２をショーケース５００に用いた例を示している。
【０１４８】
図１０に示すように、本実施の形態で使用する表示パネルは、実施の形態３における表示パネル３００であって、パッシブマトリクス駆動型の透明表示パネルである。また、実施の形態４で説明したように、表示パネル３００の長辺側と左右の短辺側とに３つのプリント基板４１０、４２０、４３０を接続することによって表示パネル全体を利用して画像を表示することができる。
【０１４９】
本実施の形態におけるショーケース５００の大きさは、１辺が４００ｍｍの立方体であり、表示パネル３００は、観察者がみるケース表面５０１側の上下に２枚使用している。また、プリント基板４１０、４２０、４３０は、いずれも、観察者側の面であるケース表面５０１とは異なる面に配置されているため、ショーケース５００内の展示物６００（りんご）の視認を邪魔することがない。また、表示パネル３００は、展示物６００を邪魔する位置に配置されていないため、表示パネル３００の透過率や表示パネル３００による光の拡散は大きな問題にはならない。
【０１５０】
例えば、図１０に示すように、表示パネル３００には、“甘さ一際”とか“青森産”などの展示物６００と関係のある文字や画像を表示することができるため、観察者に展示物６００の情報を与えたり、購買意欲をそそる宣伝を行ったりすることができる。
【０１５１】
なお、本実施の形態において、表示パネル３００の大きさは、縦（短辺）が７０ｍｍで、横（長辺）が４００ｍｍの矩形状であり、表示パネル３００が重なっていないケース表面５０１の中央部分は、縦が２６０ｍｍで横が４００ｍｍの領域（開口領域）となる。
【０１５２】
以上のように、本実施の形態の表示パネルは、表示性能を劣化させることなく横方向の大きさを大幅に拡大することができるため、観察者に対して購買意欲をそそるショーケースの新しい使い方を提供することができる。
【０１５３】
以上、本発明に係る表示パネル、表示パネルモジュール及びその適用例について、実施の形態および変形例に基づいて説明したが、本発明は、上記の実施の形態及び変形例に限定されるものではない。
【０１５４】
例えば、上記の実施の形態等では、第１の電極１０１と第２の電極１０２との間における電気的な変化により表示状態が変化する表示素子として、有機ＥＬ素子、無機ＥＬ素子及び液晶表示素子等を例示したが、これに限らない。
【０１５５】
また、上記の実施の形態等では、長辺側に引き出された第１の電極１０１及び第２の電極１０２のいずれについても、基板１０４の長辺１０４ａに対して斜めに形成したが、これに限らず、長辺側に引き出された第１の電極１０１及び第２の電極１０２の少なくともいずれか一方が、長辺１０４ａに対して斜めに形成されていればよい。例えば、第１の電極１０１が長辺１０４ａに対して斜めに形成され、第２の電極１０２が長辺１０４ａに対して垂直（短辺１０４ｂと平行）に形成されていても構わない。もちろん、その逆でも構わない。
【０１５６】
また、上記の実施の形態等では、第１の電極１０１の長辺１０４ａに対する傾き（傾斜角θ１）を約４０度とし、第２の電極１０２の長辺１０４ｂに対する傾き（傾斜角θ２）を約−４０度としたが、これに限らず、これらの傾斜角θ１及びθ２は、表示パネル（基板１０４）の長辺１０４ａの長さやアスペクト比、あるいは、表示パネルの使用目的に応じて適宜選択すればよい。この場合、傾斜角θ１及びθ２の絶対値が小さいほど（緩い角角度であるほど）、図１Ｂに示すような電極交点のない三角領域（無効領域）を低減させることができるので、上記傾斜角θ１及びθ２の絶対値を小さくすることで短辺１０４ｂ側に引き出される第１の電極２０１及び第２の電極２０２（並びに短辺側のプリント基板）を設ける必要がなくなるとともに、有効画素領域を増加させることができる。特に、アスペクト比の小さい基板１０４を用いる場合は、上記傾斜角θ１及びθ２の絶対値は小さいことが好ましい。また、上記傾斜角θ１及びθ２の絶対値を大きくすることにより画素を粗くすることができるので、低解像度の表示パネルを安価に製造したいような場合は、基板サイズを変更することなく上記傾斜角θ１及びθ２の絶対値を大きくするだけで低解像度の表示パネルを製造することができる。
【０１５７】
また、上記の実施の形態等では、複数の第１の電極１０１及び複数の第２の電極１０２はそれぞれ平行に形成し、上記傾斜角θ１及びθ２をいずれも画素領域１１０内で一定としているが、これに限らない。例えば、画素領域１１０内の左右端部領域では上記傾斜角θ１及びθ２の絶対値が小さくなるように、画素領域１１０内の中央領域では上記傾斜角θ１及びθ２の絶対値が大きなるように形成してもよい。
【０１５８】
また、上記の実施の形態等では、第１の電極１０１及び第２の電極１０２は、対向する２つの長辺１０４ａのうちの一方にのみ引き出した（すなわち、第１の電極１０１及び第２の電極１０２を同じ長辺１０４ａ側に引き出した）が、これに限らない。例えば、第１の電極１０１を一方の長辺１０４ａ側に引き出し、第２の電極１０２を他方の長辺１０４ａ側に引き出すように構成しても構わない。
【０１５９】
また、上記の実施の形態等では、パッシブマトリクス駆動型の表示パネルについて説明したが、アクティブマトリクス駆動型の表示パネルにも適用することができる。但し、パッシブマトリクス駆動型の表示パネルは、アクティブマトリクス駆動型の表示パネルよりも、電極の長配線化に伴う画質の劣化が著しいので、本発明は、パッシブマトリクス駆動型の表示パネルの方が効果的である。
【０１６０】
また、上記の実施の形態等では、基板１０４、１０５の形状は、矩形状の四角形としたが、平行四辺形や台形等の四角形とすることもできる。なお、基板１０４、１０５の形状を平行四辺形や台形とすることにより、図１Ｂに示すような電極交点のない三角領域（無効領域）を低減させることができる。この場合、第１の電極１０１及び第２の電極１０２の傾斜角と平行四辺形や台形の鋭角とを略同等にすることが好ましい。
【０１６１】
その他、各実施の形態及び変形例に対して当業者が思いつく各種変形を施して得られる形態や、本発明の趣旨を逸脱しない範囲で各実施の形態及び変形例における構成要素および機能を任意に組み合わせることで実現される形態も本発明に含まれる。
【産業上の利用可能性】
【０１６２】
本発明は、表示パネルを用いた画像表示装置等の電子機器において広く利用することができ、特に、本発明は、一方向の大きさを大幅に拡大することができるため、アスペクト比の大きい細長の表示パネルにおいて有用である。
【符号の説明】
【０１６３】
１００、２００、３００  表示パネル
１０１、２０１、１１０１  第１の電極
１０２、２０２、１１０２  第２の電極
１０３、１１３、１２３、１１０３  発光層
１０４、１０５  基板
１０４ａ  長辺
１０４ｂ  短辺
１０６  封止層
１１０  画素領域
１１０Ｓ  サブピクセル
１３１  第１の配向膜
１３２  第２の配向膜
１３３  液晶層
１３４  カラーフィルタ
１３５  第１の偏光板
１３６  第２の偏光板
１４３  マイクロカプセル
４０１  第１の表示パネルモジュール
４０２  第２の表示パネルモジュール
４１０、４２０、４３０、４４０、４５０、４６０、４７０  プリント基板
４１１、４２１、４３１  電極接続領域
５００  ショーケース
５０１  ケース表面
６００  展示物
１１０４、１１０５  基板層
２１０２  透明ライン電極
２１０２ａ  透明導電性材料
２１０２ｂ  低抵抗導電性材料
３００１  電流検出部
３００２  信号線制御回路
３００３  走査線制御回路
３００４  補正回路
【図１Ａ】
2013120286.tif 000003
【図１Ｂ】
2013120286.tif 000004
【図１Ｃ】
2013120286.tif 000005
【図２Ａ】
2013120286.tif 000006
【図２Ｂ】
2013120286.tif 000007
【図２Ｃ】
2013120286.tif 000008
【図２Ｄ】
2013120286.tif 000009
【図３Ａ】
2013120286.tif 000010
【図３Ｂ】
2013120286.tif 000011
【図３Ｃ】
2013120286.tif 000012
【図３Ｄ】
2013120286.tif 000013
【図４Ａ】
2013120286.tif 000014
【図４Ｂ】
2013120286.tif 000015
【図４Ｃ】
2013120286.tif 000016
【図５Ａ】
2013120286.tif 000017
【図５Ｂ】
2013120286.tif 000018
【図６】
2013120286.tif 000019
【図７】
2013120286.tif 000020
【図８Ａ】
2013120286.tif 000021
【図８Ｂ】
2013120286.tif 000022
【図９Ａ】
2013120286.tif 000023
【図９Ｂ】
2013120286.tif 000024
【図９Ｃ】
2013120286.tif 000025
【図９Ｄ】
2013120286.tif 000026
【図９Ｅ】
2013120286.tif 000027
【図１０】
2013120286.tif 000028
【図１１】
2013120286.tif 000029
【図１２】
2013120286.tif 000030
【図１３】
2013120286.tif 000031